(57)【要約】      （修正有）【課題】運搬時に必要となるスペースを削減して、運搬コストの低減を図り得るルームユニットを提供する。【解決手段】使用者を収容し得る内部空間を有するユニット本体と、ユニット本体の出入口を開閉する扉体１９、２３と、を有し、ユニット本体は、互いに上下に分割された上部本体１０Ｕと下部本体１０Ｌとを有し、扉体１９、２３は、互いに上下に分割された上部扉体１９Ｕ、２３Ｕと下部扉体１９Ｌ、２３Lとを有し、上部本体１０Ｕの壁の下端と下部本体１０Ｌの壁の上端とが互いに分離可能に接合して一体化され、上部扉体１９Ｕ、２３Ｕの下端と下部扉体１９Ｌ、２３Lの上端とが互いに分離可能に接合して一体化される。【選択図】図１
2015098764.tif 000002
【特許請求の範囲】
【請求項１】
使用者を収容し得る内部空間を有するユニット本体と、当該ユニット本体の出入口を開閉する扉体と、を有するルームユニットであって、
前記ユニット本体は、互いに上下に分割された上部本体と下部本体とを有し、
前記扉体は、互いに上下に分割された上部扉体と下部扉体とを有し、
前記上部扉体は、前記上部本体に開閉動自在に取り付けられ、
前記下部扉体は、前記下部本体に開閉動自在に取り付けられ、
前記上部本体の壁の下端と前記下部本体の壁の上端とが互いに分離可能に接合して一体化され、
前記上部扉体の下端と前記下部扉体の上端とが互いに分離可能に接合して一体化され、
前記上部本体の壁の下端と前記下部本体の壁の上端との接合部及び前記上部扉体の下端と前記下部扉体の上端との接合部に封止材が設けられていることを特徴とするルームユニット。
【請求項２】
前記上部本体の壁の下端と前記下部本体の壁の上端とが互いに嵌合し、
前記上部扉体の下端と前記下部扉体の上端とが互いに嵌合し、
当該嵌合している部分に前記封止材が設けられていることを特徴とする請求項１記載のルームユニット。
【請求項３】
前記上部本体の壁の下端と前記下部本体の壁の上端とを互いに分離可能に連結する本体連結機構と、
前記上部扉体の下端と前記下部扉体の上端とを互いに分離可能に連結する扉体連結機構と、を有することを特徴とする請求項１又は２記載のルームユニット。
【請求項４】
前記上部本体の壁を保持しているフレームの下端と前記下部本体の壁を保持しているフレームの上端とを互いに分離可能に連結する本体連結機構と、
前記上部扉体の下端と前記下部扉体の上端とを互いに分離可能に連結する扉体連結機構と、を有することを特徴とする請求項１又は２記載のルームユニット。
【請求項５】
被洗浄者に高速気流を吹き付けて当該被洗浄者の着衣等に付着した塵埃等を除去するエアシャワーシステムのルームユニットであって、
前記上部本体及び前記下部本体に、前記高速気流を前記内部空間に導入し、塵埃等を含む空気を排出するための開口部が設けられていることを特徴とする請求項１から請求項４のいずれかに記載のルームユニット。
【発明の詳細な説明】
【技術分野】
【０００１】
本発明は、使用者を収容し得る箱形のユニット本体と、当該ユニット本体の出入口を開閉する扉体とを有する可搬型のルームユニットに関する。
【背景技術】
【０００２】
この種のルームユニットとして、エアシャワー用のルームユニットが知られている。エアシャワー用のルームユニットは、一般的な身長の成人男性が起立した姿勢で入室できる縦長の箱体であり、エアシャワー装置から吹き込まれた高速気流を外部に漏らさない気密性を有している。（特許文献１）。
【先行技術文献】
【特許文献】
【０００３】
【特許文献１】特開２０１０−１２１８３０号公報
【発明の概要】
【発明が解決しようとする課題】
【０００４】
ルームユニットは、縦長の一つの箱体で構成されているため、運搬する際に車高の高い大型の運搬車が必要となる。このため運搬コストが高くなるという問題があった。
【０００５】
本発明が解決しようとする課題は、運搬時に必要となるスペースを削減して、運搬コストの低減を図り得るルームユニットを提供することにある。
【課題を解決するための手段】
【０００６】
上記課題を解決するため、本発明のルームユニットは、
使用者を収容し得る内部空間を有するユニット本体と、当該ユニット本体の出入口を開閉する扉体と、を有するルームユニットであって、
前記ユニット本体は、互いに上下に分割された上部本体と下部本体とを有し、
前記扉体は、互いに上下に分割された上部扉体と下部扉体とを有し、
前記上部扉体は、前記上部本体に開閉動自在に取り付けられ、
前記下部扉体は、前記下部本体に開閉動自在に取り付けられ、
前記上部本体の壁の下端と前記下部本体の壁の上端とが互いに分離可能に接合して一体化され、
前記上部扉体の下端と前記下部扉体の上端とが互いに分離可能に接合して一体化され、
前記上部本体の壁の下端と前記下部本体の壁の上端との接合部及び前記上部扉体の下端と前記下部扉体の上端との接合部に封止材が設けられていることを特徴とする。
【０００７】
上記のように構成されたルームユニットは、上部本体と上部扉体とからなるユニット上部と下部本体と下部扉体とからなるユニット下部とに分割した状態で運搬できるので、運搬時に必要となるスペースを削減して、運搬コストを低減することができる。そして、設置場所において、ユニット下部の上にユニット上部を載せて、上部本体の下端と下部本体の上端とを互いに接合するとともに、上部扉体の下端と下部扉体の上端とを互いに接合することにより、ルームユニットが組み立てられる。接合部に封止材が設けられているので、ルームユニットを分割構造にしたことに伴う隙間の発生を防止できる。
【０００８】
本発明のルームユニットにおいて、
前記上部本体の壁の下端と前記下部本体の壁の上端とが互いに嵌合し、
前記上部扉体の下端と前記下部扉体の上端とが互いに嵌合し、
当該嵌合している部分に前記封止材が設けられていることが望ましい。
【０００９】
上記構成によれば、上部本体と下部本体との一体性及び上部扉体と下部扉体との一体性が向上するとともに、接合部の封止性が向上する。
【００１０】
本発明のルームユニットにおいて、
前記上部本体の壁の下端と前記下部本体の壁の上端とを互いに連結した状態に保持する本体連結機構と、
前記上部扉体の下端と前記下部扉体の上端とを互いに連結した状態に保持する扉体連結機構と、を有することが望ましい。
【００１１】
上記構成によれば、ルームユニットの使用時に、上部本体と下部本体とが分離したり上部扉体と下部扉体とが分離したりするといった不具合の発生を防止して、常に安全にルームユニットを使用することができる。
【００１２】
また、本発明のルームユニットにおいて、
前記上部本体の壁を保持しているフレームの下端と前記下部本体の壁を保持しているフレームの上端とを互いに分離可能に連結する本体連結機構と、
前記上部扉体の下端と前記下部扉体の上端とを互いに分離可能に連結する扉体連結機構と、を有することを特徴とすることが望ましい。
【００１３】
上記構成によれば、ルームユニットの使用時に、上部本体と下部本体とが分離したり上部扉体と下部扉体とが分離したりするといった不具合の発生を防止して、常に安全にルームユニットを使用することができる。
【００１４】
本発明のルームユニットは、使用者である被洗浄者に高速気流を吹き付けて当該被洗浄者の着衣等に付着した塵埃等を除去するエアシャワーシステムのルームユニットに適用することが可能である。この場合、前記上部本体及び前記下部本体に、前記高速気流を前記内部空間に導入し、塵埃等を含む空気を排出するための開口部が設けられる。
【発明の効果】
【００１５】
本発明のルームユニットは、上部本体と上部扉体とからなるユニット上部と下部本体と下部扉体とからなるユニット下部とに分割した状態で運搬できるので、運搬時に必要となるスペースを削減して、運搬コストを低減することができる。
【図面の簡単な説明】
【００１６】
【図１】本発明のルームユニットを備えたエアシャワーシステムの分割斜視図
【図２】図１に示すエアシャワーシステムの要部斜視図
【図３】図１に示すエアシャワーシステムの要部斜視図
【図４】ルームユニットの要部断面図
【発明を実施するための形態】
【００１７】
以下、本発明の実施形態について説明する。
ここでは、本発明のルームユニットを、可搬型のエアシャワーシステムのルームユニットに適用した場合について説明する。
【００１８】
図１はエアシャワーシステムの構成を例示する分割斜視図である。図２及び図３はエアシャワーシステムの要部斜視図である。
エアシャワーシステム１は、クリーンルーム等に入室する直前の被洗浄者（使用者）にエアシャワー（高速気流）を吹き付けて当該被洗浄者の着衣等に付着した塵埃等を除去するシステムであり、エアシャワーを発生するエアシャワー装置４１と、エアシャワー装置４１からエアシャワーが吹き込まれるルームユニット１１とを有する。
【００１９】
［エアシャワー装置］
エアシャワー装置４１は、エアシャワーを噴射する吹出口４５を有する上ユニット４２と、吸入口４６を有する下ユニット４３とを有する。上ユニット４２と下ユニット４３は、どちらも直方体形状の箱形ユニットであり、下ユニット４３の上に上ユニット４２を積み重ねた状態で使用される。両者の平面寸法及び形状は互い一致しており、下ユニット４３の上面５１ｂと上ユニット４２の下面５１ａとが、互いの周縁部を一致させて接合されるようになっている。上ユニット４２の高さ寸法は下ユニット４３のそれよりも大きく、両者を積み重ねることにより縦長のエアシャワー装置４１となる。
【００２０】
上ユニット４２の前面には、複数の吹出口４５が設けられている。下ユニット４３の前面には、吸入口４６が設けられている。上ユニット４２内には、図示しない送風機とＨＥＰＡフィルタ（High Efficiency Particulate Air Filter）が設けられている。吸入口４６には、プレフィルタ４６ａが取り付けられている。エアシャワー装置４１は、ルームユニット１１内の空気を吸入口４６から装置内に常時吸入しつつ、吹出口４５からエアシャワーを噴射してルームユニット１１内に吹き込むことにより空気を循環させることにより、被洗浄者の着衣等から除去した塵埃等を高効率に回収する。
【００２１】
エアシャワー装置４１には、上ユニット４２と下ユニット４３とを互いに連結した状態に保持する連結機構４４が複数箇所に設けられている。この例では、連結機構４４は、エアシャワー装置４１の両側面の前後端近傍の合計四箇所に設けられている。連結機構４４は、一般にパチン錠やレバーキャッチなどと称される連結金具であり、図２及び図３に示すように、上ユニット４２に設けられたフック部材４７と、下ユニット４３に設けられたキャッチ部材４８とからなる。フック部材４７には、その下端から円弧状に上方に折り返された係止爪４７ａを有している。キャッチ部材４８は、係止爪４７ａに引っ掛かる環状のアーム部４９と、アーム部４９と一緒に係止爪４７ａを引き寄せるためのレバー部５０とを有している。連結機構４４は、レバー部５０の先端が真下を向く位置まで回動したときにロック状態すなわち、係止爪４７ａを最大限引き寄せてしっかりと保持した状態に保たれる。
【００２２】
エアシャワー装置４１は、下ユニット４３の上に上ユニット４２を積み重ねた後、各連結機構４４の係止爪４７ａにアーム部４９を引っ掛け、レバー部５０を下方に回動させて四箇所全ての連結機構４４をロック状態にすることにより、上ユニット４２と下ユニット４３とが互いに固定され完全に一体化した状態になる。
【００２３】
［ルームユニット］
ルームユニット１１は、被洗浄者（使用者）を収容し得る内部空間を有するユニット本体１０と、ユニット本体１０への被洗浄者の入口を開閉する入口扉（扉体）１９と、ユニット本体１０からの被洗浄者の出口を開閉する出口扉（扉体）２３、とを有する。ユニット本体１０からの被洗浄者の出口は、クリーンルーム等の入口に連結されている。
【００２４】
ユニット本体１０は、エアシャワー装置４１と同じ高さ寸法（図１中の矢印Ａ方向の寸法）及び横幅寸法（図１中の矢印Ｂ方向の寸法）の直方体形状の箱形の部材である。ユニット本体１０は、前後左右の側壁部１５ａ、１５ｂ、１５ｃ、１５ｄからなる壁１５と、壁１５の上端を閉塞している天板１３と、壁１５の下端を閉塞している床板１４と、を有する。ユニット本体１０の相対向する側壁１５ａ、１５ｂに被洗浄者の入口と出口が設けられている。
【００２５】
ユニット本体１０は、互いに上下に分割された上部本体１０Ｕと下部本体１０Ｌとからなる。上部本体１０Ｕは、壁１５の上部をなす上部壁１５Ｕと、天板１３とからなる。下部本体１０Ｌは、壁１５の下部をなす下部壁１５Ｌと、床板１４とからなる。
【００２６】
入口扉（扉体）１９は、互いに上下に分割された上部入口扉体１９Ｕと下部入口扉体１９Ｌとを有する。
出口扉（扉体）２３は、互いに上下に分割された上部出口扉体２３Ｕと下部出口扉体２３Ｌとを有する。
上部入口扉体１９Ｕは、その右端部がヒンジ２１ａ、２１ｂを介して上部本体１０Ｕの入口部に開閉動自在に連結されている。
下部入口扉体１９Ｌは、その右端部がヒンジ２１ｃ、２１ｄを介して下部本体１０Ｌに入口部に開閉動自在に連結されている。
上部出口扉体２３Ｕは、その右端部がヒンジ２５ａ、２５ｂを介して上部本体１０Ｕに出口部に開閉動自在に連結されている。
下部出口扉体２３Ｌは、その右端部がヒンジ２５ｃ、２５ｄを介して下部本体１０Ｌに出口部に開閉動自在に連結されている。
下部入口扉体１９Ｌ及び下部出口扉体２３Ｌには、それぞれドアノブ２２が設けられている。
【００２７】
ユニット本体１０は、上部本体１０Ｕを構成する上部壁１５Ｕの下端と、下部本体１０Ｌを構成する下部壁１５Ｌの上端とが互いに分離可能に接合して一体化されることにより形成される。
入口扉（扉体）１９は、上部入口扉体１９Ｕの下端と、下部入口扉体１９Ｌの上端とが互いに分離可能に接合して一体化されることにより形成される。
出口扉（扉体）２３は、上部出口扉体２３Ｕの下端と、下部出口扉体２３Ｌの上端とが互いに分離可能に接合して一体化されることにより形成される。
【００２８】
ユニット本体１０のエアシャワー装置４１と対向する側壁部１５ｃは、枠部２６ａ、２６ｂを残して大きく開口している。この大きく開口している部分を通して、エアシャワー装置４１の吹出口４５からルームユニット１１内にエアシャワーが吹き込まれ、塵埃等を含む空気がエアシャワー装置４１の吸入口４６に吸い込まれる。
【００２９】
図４は上部壁１５Ｕの下端と下部壁１５Ｌの上端との接合部の断面図である。上部壁１５Ｕの下端には、その周方向に延びる凹部２７ａが形成されている。凹部２７ａは、上部壁１５Ｕの板厚方向中央部に形成されている。下部壁１５Ｌの上端には、その周方向に延びる凸部２７ｂが形成されている。凸部２７ｂは、上部壁１５Ｕの凹部２７ａと互いに嵌合し得るように、下部壁１５Ｌの板厚方向中央部に形成されている。そして、上部壁１５Ｕの下端に、ゴム材などの封止材２８が凹部２７ａの内面を覆うようにして貼り付けられている。
【００３０】
上部入口扉体１９Ｕの下端と下部入口扉体１９Ｌの上端との接合部、及び、上部出口扉体２３Ｕの下端と下部出口扉体２３Ｌの上端との接合部の断面構造も、図４と同様である。
【００３１】
ルームユニット１１は、上部本体１０Ｕの壁の下端と下部本体１０Ｌの壁の上端とを互いに連結した状態に保持する本体連結機構３１と、入口扉１９を構成する上下の扉体１９Ｕ、１９Ｌ同士及び出口扉２３を構成する上下の扉体２３Ｕ、２３Ｌ同士を互いに連結した状態に保持する扉体連結機構３２と、を有している。本体連結機構３１は、エアシャワー装置４１と対向する側壁部１５ｃとその反対側の側壁部１５ｄの両端近傍に設けられている。扉体連結機構３２は、入口扉１９及び出口扉２３の両端近傍に設けられている。本体連結機構３１及び扉体連結機構３２の構成は、エアシャワー装置４１における連結機構４４の構成と同様である。
【００３２】
ルームユニット１１は、ユニット本体１０の上部本体１０Ｕと下部本体１０Ｌとを連結した後、入口扉１９の上下の扉体１９Ｕ、１９Ｌ、出口扉２３の上下の扉体２３Ｕ、２３Ｌをそれぞれ連結することにより組み立てられる。
【００３３】
ユニット本体１０は、下部本体１０Ｌの上に上部本体１０Ｕを積み重ねて、上部壁１５Ｕの下端と下部壁１５Ｌの上端とを接合した後、各本体連結機構３１の係止爪４７ａにアーム部４９を引っ掛け、レバー部５０を下方に回動させて四箇所全ての本体連結機構３１をロック状態にすることにより、下部本体１０Ｌと上部本体１０Ｕとが互いに固定され完全に一体化した状態になる。
【００３４】
入口扉１９は、上部入口扉体１９Ｕの下端と下部入口扉体１９Ｌの上端とを互いに接合させて状態で、各扉体連結機構３２の係止爪４７ａにアーム部４９を引っ掛け、レバー部５０を下方に回動させて二つの扉体連結機構３２を両方ともロック状態にすることにより、上部入口扉体１９Ｕと下部入口扉体１９Ｌとが互いに固定され完全に一体化した状態になる。これにより入口扉１９は、ヒンジ２１ａ〜２１ｄを介してユニット本体１０に連結された一つの片開き（この例では左開き）の扉体として機能する。
【００３５】
出口扉２３は、上部出口扉体２３Ｕの下端と下部出口扉体２３Ｌの上端とを互いに接合させて状態で、各扉体連結機構３２の係止爪４７ａにアーム部４９を引っ掛け、レバー部５０を下方に回動させて二つの扉体連結機構３２を両方ともロック状態にすることにより、上部出口扉体２３Ｕと下部出口扉体２３Ｌとが互いに固定され完全に一体化した状態になる。これにより出口扉２３は、ヒンジ２５ａ〜２５ｄを介してユニット本体１０に連結された一つの片開き（この例では右開き）の扉体として機能する。
【００３６】
上記のようにして組み立てたルームユニット１１とエアシャワー装置４１とを図示しない連結金具により互いに連結することにより、エアシャワーシステム１の組み立てが完了する。
【００３７】
上記のように構成されたエアシャワーシステム１のルームユニット１１は、上部本体１０Ｕと上部入口扉体１９Ｕと上部出口扉体２３Ｕとからなるユニット上部と、下部本体１０Ｌと下部入口扉体２３Ｌと下部出口扉体２３Ｌとからなるユニット下部とに分割した状態で運搬できるので、運搬時に必要となるスペースを削減して、運搬コストを低減することができる。そして、設置場所において、ユニット下部の上にユニット上部を載せて、上部本体１０Ｕの下端と下部本体１０Ｌの上端とを互いに連結するとともに、上部入口扉体１９Ｕ体の下端と下部入口扉体２３Ｌの上端とを互いに連結し、上部出口扉体２３Ｕの下端と下部出口扉体２３Ｌの上端とを互いに連結することにより、ルームユニット１１が組み立てられる。
【００３８】
上部本体１０Ｕの壁の下端と下部本体１０Ｌの壁の上端とが互いに嵌合し、上部入口扉体１９Ｕ体の下端と下部入口扉体２３Ｌとが互いに嵌合し、上部出口扉体２３Ｕの下端と下部出口扉体２３Ｌの上端とが互いに嵌合し、これら嵌合している部分に封止材２８が設けられているので、ルームユニット１１を分割構造にしたことに伴う隙間の発生を完全に防止できる。
【００３９】
また、本体連結機構３１により下部本体１０Ｌと上部本体１０Ｕとが一体化した状態に保持され、扉体連結機構３２により入口扉１９を構成する上下の扉体１９Ｕ、１９Ｌ同士及び出口扉２３を構成する上下の扉体２３Ｕ、２３Ｌ同士が互いに一体化した状態に保持されるので、ルームユニット１１の使用時に、上部本体１０Ｕと下部本体１０Ｌとが分離したり、入口扉１９を構成する上下の扉体１９Ｕ、１９Ｌや出口扉２３を構成する上下の扉体２３Ｕ、２３Ｌが分離したりするといった不具合の発生を防止して、常に安全にルームユニットを使用することができる。
【００４０】
なお、本発明は上記実施形態に限定されない。
たとえば、上記の例では、ルームユニット１１がその高さ寸法のほぼ中央で上下に二分割できる構造になっているが、上下どちらか一方に大きく偏った位置で上下に二分割できるように構成してもよい。
【００４１】
また、上記の例では、可搬型のエアシャワーシステム１に使用されるルームユニット１１について説明したが、本発明のルームユニットは、可搬型のトイレルームや可搬型のシャワールームなど、その他の用途で使用されるルームユニット全般に適用可能である。すなわち、使用者を収容し得る内部空間を有するユニット本体と、当該ユニット本体の出入口を開閉する扉体と、を有する可搬型のルームユニット全般に適用可能である。
【００４２】
また、上記の例では、本体連結機構３１及び扉体連結機構３２がルームユニット１１の外側に設けられているが、これらをルームユニット１１の内側に設けることも可能である。可搬型のトイレルームや可搬型のシャワールームの場合、本体連結機構３１及び扉体連結機構３２はルームユニットの内側に設けられていることが望ましい。
【００４３】
また、上記の例では、本体連結機構３１がユニット本体１０の壁（上部壁１５Ｕ、下部壁１５Ｌ）に設けられているが、ユニット本体１０の図示しないフレーム（壁を保持する枠体）に本体連結機構３１を設けることも可能である。ユニット本体１０のフレームに本体連結機構３１を設けた場合、上部本体１０Ｕのフレーム（上部フレーム）と下部本体１０Ｌのフレーム（下部フレーム）とを本体連結機構３１によって互いに連結することにより、下部本体１０Ｌと上部本体１０Ｕとが互いに固定され完全に一体化した状態になる。
【００４４】
具体的には、上部フレームと下部フレームは、各々金属製の角パイプを矩形箱形枠状に組み合わせてなる。下部フレームの縦部材（柱として機能する４本の角パイプ）の上端部と上部フレームの縦部材（柱として機能する４本の角パイプ）の下端部は各々互いに嵌合し得る構造（一方が他方の中に挿入されて嵌合するいわゆる鞘管構造）になっている。下部フレームの縦部材の上端部と上部フレームの縦部材の下端部とには、両者を互いに嵌合させたときに互いに重なり合う位置に固定孔（ボルト孔）が各々設けられている。両固定孔のうち内側に位置する方の固定孔はねじ孔になっている。そして、下部フレームの縦部材の上端部と上部フレームの縦部材の下端部とを互いに嵌合させた状態で、ボルトを外側の固定孔から挿入して内側の固定孔に締め込むことにより、上部フレームと下部フレームとが互いに固定され、四箇所全てを固定することにより、下部本体１０Ｌと上部本体１０Ｕとが互いに完全に一体化した状態になる。すなわちこの場合、本体連結機構３１は、上部フレームの下端部と下部フレームの上端部とを互いに嵌合させる構造と、両者の嵌合状態を保持するためのボルト等の締着部材（固定手段）とで構成される。
【符号の説明】
【００４５】
１  エアシャワーシステム
１１  ルームユニット
１０  ユニット本体  
１３  天板
１４  床板
１５  壁
１５Ｌ  下部壁
１５Ｕ  上部壁
１９  入口扉（扉体）
１９Ｌ  下部入口扉体
１９Ｕ  上部入口扉体
２３  出口扉（扉体）
２３Ｌ  下部出口扉体
２３Ｕ  上部出口扉体
２７ａ  凹部
２７ｂ  凸部
２８  封止材
３１  本体連結機構
３２  扉体連結機構
４１  エアシャワー装置
【図１】
2015098764.tif 000003
【図２】
2015098764.tif 000004
【図３】
2015098764.tif 000005
【図４】
2015098764.tif 000006